(57)【要約】【課題】複数の撮像素子の出力を切り換えてスルー画表示を行う場合に、撮像素子の電源消費に合わせてスルー画表示できる最適な電源電圧範囲になるようにしたデジタル一眼レフカメラを提供する。【解決手段】被写体像記録用のメインＣＣＤ２２１の出力に基づいて第１スルー画表示（Ｂモード表示）と、被写体像観察用のファインダ光学系中に配置されたファインダ内ＣＣＤ２７９の出力に基づいて第２スルー画表示（Ａモード表示）を行う液晶モニタ２６と、電源電圧を判定するバッテリチェック回路２５７と、このバッテリチェック回路の判定結果に応じて、第１スルー画表示と第２スルー画の動作を禁止、または許可するボディＣＰＵ２２９を具備し、電源電圧が第１の所定値を下回っていると判定された場合に第１スルー画表示手段の動作を禁止し、第１の所定値よりも低い第２の所定値を下回っている場合には、第２スルー画表示手段の動作を禁止する。【選択図】  図３
2007228122.tif 000002
【特許請求の範囲】
【請求項１】
被写体像記録用の第１の撮像素子の出力に基づいて第１スルー画表示を行う第1スルー画表示手段と、
被写体像観察用のファインダ光学系中に配置された第２の撮像素子の出力に基づいて第2スルー画表示を行う第２スルー画表示手段と、
電源電圧を判定するバッテリチェック手段と、
このバッテリチェック手段の判定結果に応じて、上記第１スルー画表示手段と上記第２スルー画の動作を禁止、または許可する制御手段と、
を具備し、上記制御手段は、上記電源電圧が第１の所定値を下回っていると判定された場合に上記第１スルー画表示手段の動作を禁止し、上記第１の所定値よりも低い第２の所定値を下回っている場合には、上記第２スルー画表示手段の動作を禁止することを特徴とするデジタル一眼レフカメラ。
【請求項２】
上記バッテリチェック手段は、上記第１及び第２の所定値を周囲温度に応じて変更することを特徴とする請求項１に記載のデジタル一眼レフカメラ。
【請求項３】
上記第１スルー画表示の実行中に、上記電源電圧が上記第１の所定値を下回っていると判定された場合には、上記第１スルー画表示を停止して撮影情報表示を行うようにしたことを特徴とする請求項１に記載のデジタル一眼レフカメラ。
【請求項４】
上記第２スルー画表示の実行中に、上記電源電圧が上記第２の所定値を下回っていると判定された場合には、上記第２スルー画表示を停止して撮影情報表示を行うようにしたことを特徴とする請求項１に記載のデジタル一眼レフカメラ。
【請求項５】
上記第１スルー画表示の実行中に、上記電源電圧が上記第１の所定値を下回っていると判定された場合には、上記第１スルー画表示を停止して、上記第２スルー画表示を行うようにしたことを特徴とする請求項１に記載のデジタル一眼レフカメラ。
【発明の詳細な説明】
【技術分野】
【０００１】
本発明は、スルー画表示機能を有するデジタル一眼レフカメラに関し、詳しくは、撮像素子で取得した画像を表示装置に表示する所謂スルー画表示機能（ライブビュー表示機能、電子ファインダ機能とも言う）を有するデジタル一眼レフカメラに関する。
【背景技術】
【０００２】
従来のコンパクトデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたデジタル一眼レフカメラが提案されている（特許文献１）。
【０００４】
また、フィルムカメラではあるが、ファインダ光路中にハーフミラーを配置し、観察用光束の一部を撮像素子に導き、この撮像素子で撮像した被写体像をカメラ本体から離れた場所に置かれた表示装置に動画像として表示する一眼レフカメラが提案されている（特許文献２）。さらに、上述したようにマクロ撮影時には、スルー画表示が有効であることから、マクロ撮影モードの場合であって、電源電圧が所定電圧以上ある場合には、スルー画表示に切り換えると共に、電源電圧が所定電圧未満の場合には、スルー画表示を行わないようにした電子カメラも提案されている（特許文献３）。
【特許文献１】特開２００２−３６９０４２
【特許文献２】特開昭６２−６１０３６
【特許文献３】特開２００２−２６２１６０
【発明の開示】
【発明が解決しようとする課題】
【０００５】
特許文献１に示されるような被写体像記録の撮像素子と、特許文献２に示されるようなファインダ光学系中に配置された被写体像観察用の撮像素子のいずれかの出力を選択的にモニタにスルー画表示させるようにした場合、撮像素子は電源消費が大きいことから電源電圧が所定値より低い場合には、モニタでのスルー画表示を停止することが望ましい。しかし、この場合、特許文献３には、単一の撮像素子を使用する場合についてしか開示されておらず、複数の撮像素子を使用する場合の処理については先行技術には何ら開示されていない。一律の判定電圧でスルー画表示のオン・オフを制御するのでは、撮像素子は各々消費電力が異なっていることから、一番電源消費の大きい撮像素子に合わせることになり、スルー画表示のできない電源範囲が増えてしまう。
【０００６】
本発明は、このような事情を鑑みてなされたものであり、複数の撮像素子の出力を切り換えてスルー画表示を行う場合に、撮像素子の電源消費に合わせてスルー画表示のできる最適な電源電圧範囲になるようにしたスルー画表示可能なデジタル一眼レフカメラを提供することを目的とする。
【課題を解決するための手段】
【０００７】
上記目的を達成するため第１の発明に係わるデジタル一眼レフカメラは、被写体像記録用の第１の撮像素子の出力に基づいて第１スルー画表示を行う第1スルー画表示手段と、被写体像観察用のファインダ光学系中に配置された第２の撮像素子の出力に基づいて第2スルー画表示を行う第２スルー画表示手段と、電源電圧を判定するバッテリチェック手段と、このバッテリチェック手段の判定結果に応じて、上記第１スルー画表示手段と上記第２スルー画の動作を禁止、または許可する制御手段を具備し、上記制御手段は、上記電源電圧が第１の所定値を下回っていると判定された場合に上記第１スルー画表示手段の動作を禁止し、上記第１の所定値よりも低い第２の所定値を下回っている場合には、上記第２スルー画表示手段の動作を禁止することを特徴とする。
【０００８】
また、第２の発明に係わるデジタル一眼レフカメラは、上記第1の発明において、上記バッテリチェック手段は、上記第１及び第２の所定値を周囲温度に応じて変更することを特徴とする。
さらに、第３の発明に係わるデジタル一眼レフカメラは、上記第１の発明において、上記第１スルー画表示の実行中に、上記電源電圧が上記第１の所定値を下回っていると判定された場合には、上記第１スルー画表示を停止して撮影情報表示を行うようにしたことを特徴とする。
【０００９】
さらに、第４の発明に係わるデジタル一眼レフカメラは、上記第１の発明において、上記第２スルー画表示の実行中に、上記電源電圧が上記第２の所定値を下回っていると判定された場合には、上記第２スルー画表示を停止して撮影情報表示を行うようにしたことを特徴とする。
さらに、第５の発明に係わるデジタル一眼レフカメラは、上記第１の発明において、上記第１スルー画表示の実行中に、上記電源電圧が上記第１の所定値を下回っていると判定された場合には、上記第１スルー画表示を停止して、上記第２スルー画表示を行うようにしたことを特徴とする。
【発明の効果】
【００１０】
本発明のデジタル一眼レフカメラは、電源電圧が第１の所定値を下回っていると判定された場合に被写体像記録用の第１の撮像素子の出力に基づく第１スルー画表示手段の動作を禁止し、第１の所定値よりも低い第２の所定値を下回っている場合には、被写体像観察用のファインダ光学系中に配置された第２の撮像素子の出力に基づく第2スルー画表示を行う第２スルー画表示手段の動作を禁止するようにしたので、撮像素子の電源消費に合わせてスルー画表示のできる最適な電源電圧範囲になるようにしたスルー画表示可能なデジタル一眼レフカメラを提供できる。
【発明を実施するための最良の形態】
【００１１】
以下、図面を参照してこの発明の第１実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１２】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１３】
モードダイヤル２２は回転可能に構成された操作部材であり、モードダイヤル上の図示しない撮影モードを表す絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１４】
カメラ本体２０の背面には、液晶モニタ２６、再生釦２７、メニュー釦２８、十字キー３０、OK釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、X方向とY方向の2次元方向にカーソルの移動を指示するための操作部材である。OK釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、OK釦３１の操作により選択を決定する。
【００１５】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の2種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。これらの再生釦２７、メニュー釦２４、スルー画切換釦３４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。
【００１６】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１７】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。
【００１８】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００１９】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２０】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。撮影者はこの接眼レンズ２０９を介して被写体像を観察することができる。
【００２１】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含む位相差方式の測距回路２１７が配置されており、この回路は、レンズ１０１ａ、１０１ｂによって結像される被写体像の焦点ズレ量を検出するための回路である。なお、焦点検出方法としては、位相差方式以外にも、被写体画像の画像信号の高周波成分に基づいて検出するコントラスト法など種々の方式を適宜採用してもよい。
【００２２】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２３】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access Memory）制御回路２３６、入出力回路２３９、通信回路２４１、記録媒体制御回路２４３、ビデオ信号出力回路２４７、スイッチ検出回路２５３が接続されている。
【００２４】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２５】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５および後述するバッテリチェック回路２５７、温度検出回路２５９を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２６】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、表示切換釦３５、プレビュー釦３６、レンズ鏡筒検出スイッチ（図示せず）等を含む各種スイッチ２５５（図３では各種ＳＷと略記）は、スイッチ検出回路２５３を介してデータバス２６１に接続されている。
【００２７】
バッテリチェック回路２５７および温度検出回路２５９について、図１３を用いてその詳細について説明する。
カメラ本体の各回路やモータ等の駆動源に電源を供給するための例えばリチウムイオン充電池等で構成される電池３１１の陰極はグランドに接続され、電池３１１の陽極は定電圧（ＶＤＤ）を生成し供給する定電圧回路に接続されている。また、電池３１１の陰極とグランドの接続点にサーミスタ３１３が接続されており、このサーミスタ３１３と電池３１１によって、電源部３１０が構成される。サーミスタ３１３の他端は、プルアップ抵抗３１５の一端とＡ／Ｄ変換器３２５のＡＤ２端子との接続点に接続され、抵抗３１５の他端は定電圧回路ＶＤＤに接続されている。電池３１１の陽極はスイッチ回路３１７の一端に接続され、スイッチ回路３１７の他端は定電流回路３１９の一端に接続され、さらに定電流回路３１９と並列に接続された分圧抵抗３２１、３２３に接続されている。分圧抵抗３２１と分圧抵抗３２３の接続点はＡ／Ｄ変換器３２５のＡＤ１端子に接続されている。Ａ／Ｄ変換器３２５は、定電圧回路ＶＤＤとグランドに接続され、また入出回路２３９の入力および出力にそれぞれ接続されている。また、スイッチ回路３１７の制御端子は入出力回路２３９にも接続されている。
【００２８】
このように構成されているバッテリチェック回路２５７および温度検出回路２５９の動作について説明する。電池３１１の電圧と温度を検出するときには、入出力回路２３９からスイッチ回路３１５に対してオン指令が、またＡ／Ｄ変換回路３２５に対してＡＤ変換指令が出力される。スイッチ回路３１７がオンとなると、定電流回路３１９に定電流ｉが流れ、それによって電池３１１の電圧が低下する。低下した電圧は、分圧抵抗３２１、３２３に印加される。分圧抵抗３２１と分圧抵抗３２３によって分圧された電池３１１の電圧がＡ／Ｄ変換器３２５のＡＤ１入力端子に印加され、この電池３１１の電圧に比例した電圧をアナログ−デジタル変換し、入出力回路２３９に送信する。このように定電流回路３１９をダミー負荷として電池３１１の電圧を検出することで、電池３１１の消耗具合を判定できる。次に、サーミスタ３１３の抵抗値は周囲の温度によって変化するため、プルアップ抵抗３１５とサーミスタ３１３の接続点の電圧は、温度によって変化する。この接続点はＡ／Ｄ変換器３２５のＡＤ２端子に接続されており、温度依存性のある電圧がアナログ−デジタル変換される。本実施形態においては、摂氏２５度でＡＤ変換範囲の丁度、中間点のデジタル値となるように調整されている。電池３１１の電圧とサーミスタ３１３の抵抗値の変化に基づいて測定される温度依存性の電圧はＡ／Ｄ変換器３２５によってＡＤ変換され、予め記憶されたテーブルを参照して電源電圧および温度を求める。なお、本実施形態では、サーミスタ３１３を用いて温度を測定したが、これに限らず、例えば、熱伝対等の電気的に温度を測定できるものであれば利用できる。また、本実施形態では、バッテリチェック回路２５７と温度検出回路２５９のＡ／Ｄ変換器等を兼用したが、別々に構成しても良い。
【００２９】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、図１２（Ａ）に図示するような撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３０】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、図１１（Ａ）に示すように、画面左下にＡモード表示であることを示すために「Ａ」（符号３０５参照）が表示されている。また、このモードではスクリーンマット２０５上に刻印されたＡＦフレーム３０３も視認できる。
【００３１】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、第１の反射ミラー２０１が退避してしまうことから自動焦点検出は不作動となり、ピント合わせは手動で行う。液晶モニタ２６の画面左下にＢモード表示であることを示すために、図１１（Ｂ）に示すように、「Ｂ」（符号３０７参照）が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である。
【００３２】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３３】
ここで、Ａモード表示Ｍ２００とＢモード表示Ｍ３００に設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ（不図示）によって検出した場合には、Ｂモード表示Ｍ３００から情報表示Ｍ１００に切換わる。
【００３４】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３５】
次に、情報表示Ｍ１００の下部階層について説明する。情報表示Ｍ１００の状態で、プレビュー釦３６を押しオンとすると、プレビューＣが実行され（Ｍ１１０）、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、図１２（Ｂ）に図示するようなカードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面（図１２（Ａ））において、モードダイヤル２２、コントロールダイヤル２４や十字キー３０を操作して好みのモード・値に設定できる（Ｍ１４０）。
【００３６】
次にＡモード表示Ｍ２００の下部階層に移って、まず、Ａモード表示Ｍ２００でプレビュー釦３６を押しオンとすると、プレビューＡを実行する（Ｍ２１０）。プレビューＡは、メインＣＣＤ２２１からの画像信号に基づいてプレビュー動作を開始し、プレビュー釦３６から手を離し、オフとすることにより、プレビューモードを解除し、Ａモード表示Ｍ２００に戻る。
【００３７】
Ａモード表示において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、図１２（Ｂ）に示すメニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００３８】
次に、Ｂモード表示Ｍ３００の下部階層に移って、まず、Ｂモード表示Ｍ３００でメニュー釦２８が押されオンになると、図１２（Ｂ）に示されるようなメニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラーが退避状態にありシャッタが開放状態であるので、特に何も動作しないが、レリーズ釦２１が全押しされ２Ｒがオンとなると、メインＣＣＤからの画像信号に基づいて記録用画像データを記録媒体２４５に記録する撮影動作Ｂを実行する（Ｍ３２０）。また、プレビュー釦３６がオンとなると、絞り１０３の絞込み動作を行い、メインＣＣＤ２２１からの画像信号に基づいて液晶モニタ２６にスルー画表示を行うプレビューＢを実行する（Ｍ３３０）。
【００３９】
次に、図４に示した表示・動作モードの詳細について、図５乃至図１０に示すフローチャートを用いて説明する。図５は図４に示すＡモード表示Ｍ２００のフローチャートである。前述したように表示切換釦３５がオンとなるとファインダ内ＣＣＤ２７９からの出力に基づいて被写体像を表示するＡモード表示の動作を行う。まず、電池３１１の電圧と温度をバッテリチェック回路２５７と温度検出回路２５７によって検出する（Ｓ０）。続いて、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図１０を用いて後述する。スルー画条件設定１が終了すると、Ａモード表示を開始する（Ｓ９）。
【００４０】
次に、ステップＳ１と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのＡモード表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００４１】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいて撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、再びステップＳ１１に戻る。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａについては、図７を用いて後述する。
【００４２】
ステップＳ２１に戻り、１Ｒがオフの場合には、ステップＳ４１において、プレビュー釦３６がオンかどうかを判定する。オンの場合には、Ａモード表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移る。
【００４３】
ステップＳ４１に戻り、プレビュー釦３６がオフであった場合には、ステップＳ４５に進み、表示切換釦３５が押されたかどうか、即ち、オンかどうかを判定する。オンであった場合には、図４で説明した情報表示Ｍ１００に戻る。オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ０と同様にバッテリチェックを行った（Ｓ５３）後に、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、まず、ステップＳ４３と同様に、Ａモード表示の固定を行ってから、Ｂモード表示（Ｍ３００）に進む。
【００４４】
次に図６を用いてＢモード表示Ｍ３００のフローを説明する。Ｂモード表示に入ると、まず、ステップＳ０と同様にバッテリチェックを行った（Ｓ６０）後に、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。次に、タイマーをスタートさせステップＳ８１に進む。
【００４５】
ステップＳ８１では、レリーズ釦２１が全押しされているか、即ち、２Ｒがオンかを判定し、オンの場合には、撮影動作に進む。まず、液晶モニタ２６に表示されているスルー画表示を止め、即ちＢモード表示を停止し（Ｓ８３）、フォーカルプレーンシャッタ２１３と第１反射ミラー２０１を初期状態に戻す（Ｓ８５、Ｓ８７）。この後撮影動作Ｂ（Ｍ３２０）に移るが、詳細は後述する。ステップＳ８１に戻り、２Ｒがオフの場合にはステップＳ９１に進み、プレビュー釦３６がオンか否かを判定する。オンだった場合にはプレビュー動作に入り、Ｂモード表示の固定を行う（Ｓ９３）。これはステップＳ４３のＡモード表示の固定と同様、絞込み時に画像の明るさが不自然に変化することを防止するためである。この後、プレビューＢ（Ｍ３３０）に進む。
【００４６】
ステップＳ９１に戻り、プレビュー釦３６がオフだった場合には、ステップＳ１０１にて表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させ（Ｓ１０７）、メインＣＣＤ２２１の電源をオフする（Ｓ１０９）。これらの動作が終了すると、情報表示Ｍ１００に移る。
【００４７】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。
【００４８】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これはスルー画表示モードの切換時の画像の乱れを防止するためである。続くステップＳ１２５からＳ１２９は、前述のステップＳ１０５からＳ１０９と同様であるので、説明は省略する。
【００４９】
ステップＳ１２１に戻り、判定の結果、オフだった場合には、ステップＳ１３１に進み、カメラ本体２０からレンズ鏡筒１０が外されたか否かを、レンズ検出スイッチ（不図示）の出力に基づいて判定する。判定の結果Ｙｅｓだった場合、即ち、レンズ鏡筒１０が取り外された場合には、情報表示Ｍ１００を行う。Ｂモード表示では、第１反射ミラー２０１が撮影光路から退避し、フォーカルプレーンシャッタ２１３が開放状態となっている。このため、メインＣＣＤ２２１が外部に直接、露出した状態となってしまい、塵芥等が付着するおそれがある。したがって、Ｂモード表示Ｍ３００を終了することによって、メインＣＣＤ２２１の撮像面に塵芥等が付着することを防止する。Ｂモード表示を終了するために、ステップＳ１３３からＳ１３９にて処理を行うが、これらのステップは前述のステップＳ１０３からＳ１０９と同様であるので、説明は省略する。
【００５０】
ステップＳ１３１に戻り、判定の結果、Ｎｏだった場合には、レンズ鏡筒１０は装着されたままであり、ステップＳ１４１に進み、ステップＳ７５でスタートしたタイマーの値が、所定時間、経過したか否かを判定する。判定の結果、所定時間が経過していない場合には、ステップＳ１４２にてバッテリチェックを行い、続いて、ステップＳ１４３にて、スルー画条件の設定２のサブルーチンを実行した後、前述のステップＳ８１に進む。一方、所定時間が経過した場合には、Ｂモード表示を終了し、情報表示Ｍ１００を行うために、ステップＳ１３３に進む。このように、Ｂモード表示が所定時間経過すると終了するようにしているのは、Ｂモード表示を長時間連続すると、メインＣＣＤが発熱し、その出力画像にノイズが発生するおそれがあるためである。
【００５１】
以上説明したように、本実施形態においては、Ａモード表示とＢモード表示の切換時における被写体像の乱れを防止するために、モニタにおける被写体像をフリーズしている。即ち、Ａモード表示からＢモード表示への切換時は、ステップＳ５１からステップＳ７３までＡモード表示でフリーズし、Ｂモード表示からＡモード表示への切換時は、ステップＳ１２３からＳ９までＢモード表示でフリーズしている。なお、フリーズの終了は所定の動作に応じて行う方法の他、例えば、画像が安定するまでの所定時間フリーズする等、種々の方法を適宜選択すればよい。また、本実施形態では、Ａモード表示とＢモード表示の両方の切換時に表示のフリーズを行っていたが、いずれかの表示モードのみに対しても適用できる。
【００５２】
また、Ｂモード表示では、レンズ鏡筒１０が外されたことを検出した場合には、Ｂモード表示を停止するようにしているので、撮影者に対して警告表示になる。さらに、撮像素子を覆うようにシャッタおよび可動ミラーを駆動しているので、塵芥の付着を防止できる。本実施形態では、第１反射ミラー２０１とフォーカルプレーンシャッタ２１３の両方で、メインＣＣＤ２２１を覆うようにしているが、いずれか一方のみでメインＣＣＤ２２１を覆うようにしても、十分、塵芥等の付着を防止できる。なお、Ａモード表示で使用するＣＣＤ２７９はファインダ内にあるために塵芥の付着のおそれは殆どないので、レンズ鏡筒１０が外されてもＡモード表示を続行するように構成してあるが、外されたことを検出した場合にはＡモード表示を停止し、情報表示Ｍ１００を表示するようにしても良いことは勿論である。
【００５３】
次に、撮影動作Ａについて図７を用いて説明する。撮影動作ＡはＡモード表示Ｍ２００においてレリーズ釦２１が全押しされ、即ち、２Ｒがオンとなった場合に、メインＣＣＤ２２１の出力に基づく被写体画像データを記録媒体２４５に記録する撮影動作であって、図４および図５のＭ２２１の動作に対応する。まず、ステップＳ０と同様にバッテリチェックを行い（Ｓ３００）、メインＣＣＤ２２１を選択し（Ｓ３０１）、このメインＣＣＤ２２１の電源をオンし（Ｓ３０３）、撮影動作のサブルーチンを実行する（Ｓ３０５）。
【００５４】
この撮影動作のサブルーチンでは、第１反射ミラー２０１を撮影光路から退避させると共に、フォーカルプレーンシャッタ２１３の動作を開始させ、メインＣＣＤ２２１上に結像した被写体像に関する光電変換信号を読み出す。続いて、切換回路２８５、ＣＣＤインターフェース回路２２５、画像処理回路２２７、圧縮回路２３１、フラッシュメモリ制御回路２３３、フラッシュメモリ２３５等で各処理を行った後に、記録媒体制御回路２４３を介して画像情報データを記録媒体２４５に記録する。この撮影動作のサブルーチンが終了すると、メインＣＣＤ２２１の電源をオフし（Ｓ３０７）、記録媒体２４５に記録された被写体画像を所定時間の間、再生画像として表示する（Ｓ３０９）。再生画像の表示が終了すると、図５に示すＡモード表示に戻り、ステップＳ０のバッテリチェックを行う。
【００５５】
次に、撮影動作Ｂについて図８を用いて説明する。撮影動作ＢはＢモード表示Ｍ３００においてレリーズ釦２１が全押しされ、即ち、２Ｒがオンとなった場合に、メインＣＣＤ２２１の出力に基づく被写体画像データを記録媒体２４５に記録する撮影動作であって、図４および図６のＭ３２０の動作に対応する。まず、撮影動作Ａの場合と同様に、バッテリチェックを行う（Ｓ３１０）。Ｂモード表示では既に、メインＣＣＤ２２１の出力に基づいてスルー画表示のためにメインＣＣＤ２２１を選択し、電源オンとしているので、撮影動作ＡのステップＳ３０１とＳ３０３のステップは不要である。しかし、Ｂモード表示中は測光センサ２８１による測光動作を行っていなかったので、ステップＳ３１１において、測光・露光量演算を行う。なお、測光を行うためにステップＳ８７にて被写体光束を反射する位置に第１反射ミラー２０１を回動している。次に、撮影動作ＡのステップＳ３０５およびＳ３０７と同様に、撮影動作のサブルーチンと記録された被写体画像の所定時間再生を実行する（Ｓ３１３およびＳ３１５）。再生画像の表示が終了すると、図６に示すＢモード表示に戻る。
【００５６】
次に、撮影動作Ｃについて図９を用いて説明する。撮影動作Ｃは情報表示Ｍ１００においてレリーズ釦２１が全押しされ、即ち、２Ｒがオンとなった場合に、メインＣＣＤ２２１の出力に基づく被写体画像データを記録媒体２４５に記録する撮影動作であって、図４のＭ１２１の動作に対応する。撮影動作ＣのステップＳ３２０からＳ３２９は、撮影動作ＡのステップＳ３００からＳ３０９と同様であるので、詳しい説明は省略する。これら各ステップが終了すると、図４の情報表示Ｍ１００に戻る。
【００５７】
次に、「スルー画条件の設定１」と「スルー画条件設定２」について図１０を用いて説明する。このサブルーチンは前述したように、液晶モニタ２６に被写体画像を表示する際の画像明度の調整を行うためのものである。まず、スルー画条件設定１のサブルーチンに入ると、ステップＳ３４１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ３４７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。
【００５８】
続いてステップＳ３４９以下において、撮影レンズ１０１を通過した被写体光量が減少した場合の対策を行う。メインＣＣＤ２２１またはファインダ内ＣＣＤ２７９に受光する光量が減少した場合に、液晶モニタ２６の画面を一定明度に保つため、電子シャッタスピードを遅くし、また感度（増幅率）をアップするようにしている。しかし、感度を上げるとノイズが多くなり、ざらざらとした画面となる。そこで、ＣＣＤに受光する被写体光量が少ない場合には、情報量が少なくてすむ白黒モードにし、一方、光量が多い場合には、カラーモードで表示するようにしている。この場合、白黒とカラーの切換を一つの閾値とすると、被写体光量がこの閾値前後で変化する場合には、白黒とカラーが小刻みに変化し、見苦しいものとなる。そこで、白黒とカラーの切換を行うための閾値にヒステリシス特性を持たせている。
【００５９】
まず、ステップＳ３４９において、現在の表示が白黒モードか否かの判定を行う。カラーモードと白黒モードの設定は、画像処理回路２２７によってなされるので、ここでの判定は画像処理回路２２７に設定されているモードに基づいて行う。判定の結果、カラーモードであった場合には、ステップＳ３５１に進み、ＴＶ１−ＳＶ１＜αか否か、即ち、電子シャッタスピードと感度の差が所定値（閾値）αより小さいか否かの判定を行う。ここで、所定値αは適宜、設計値として設定すればよいが、例えば、電子シャッタスピードＴＶ１の下限値としては１／１６秒（ＴＶ＝４）、感度ＳＶ１の上限値はＩＳＯ１６００（ＳＶ＝９）とすると、所定値α＝４−９＝−５となる。所定値αより小さい場合には、即ち、被写体光量が少なく暗い場合には、画像処理回路２２７を白黒モードに設定し（Ｓ３５３）、元のフローに戻る。ステップＳ３５１でＴＶ１−ＳＶ１が所定値αより大きかった場合には、被写体光量が十分あり明るいので、そのまま画像処理回路２２７のカラーモードの設定を変えず、元のフローに戻る。
【００６０】
ステップＳ３４９に戻り、現在、白黒モードであった場合には、ステップＳ３５５に進み、ＴＶ１−ＳＶ１＜α＋Δαか否かの判定を行う。Δαも、適宜、設計値を設定すればよいが、白黒とカラーの切換が頻繁に起こらず、かつ見易い画面となる値として０．５より大きく１．５より小さな値が好ましく、さらに好ましくはΔα＝１である。ステップＳ３５５での判定の結果ＴＶ１−ＳＶ１がα＋Δαよりも小さかった場合には、被写体光量が少ないことから、白黒モードを維持して、そのまま元のフローに戻る。一方、ＴＶ１−ＳＶ１がα＋Δαよりも大きくなった場合には、白黒モードを解除して（Ｓ３５５），カラーモードを画像処理回路２２７に設定して元のフローに戻る。
【００６１】
次に、「スルー画条件設定２」を説明する。設定２のサブルーチンに入ると、まず、狙いの画像明度（所定値）と前回撮像時の画像明度との差ΔＥＶを算出する（Ｓ３４３）。続いて、画像明度が一定となるように、次回撮像時の電子シャッタスピードＴＶ１と感度ＳＶ１を決定する（Ｓ３４５）。この決定にあたっては、次の要素から求める。
・前回撮像時の絞り値ＡＶ０
・現在設定されている絞り値ＡＶ１
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶ０＋ＴＶ０＝ＢＶ０＋ＳＶ０  
である。
【００６２】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶ０＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ３４５を終了すると、前述したステップＳ３４７に進み、所定のステップを実行した後、元のフローに戻る。
【００６３】
このスルー画条件設定のサブルーチンにおいて、被写体光量が少ない場合には、白黒モードに設定するようにしたので、暗い場合でもモニタ画像にノイズや、ざらつきを少なくすることができる。また、カラーと白黒の切換時にヒステリシス特性をもたせたので、小刻みに白黒とカラーに切換わることがなく見やすくなる。なお、白黒モードに入るかどうかと白黒モードを解除するかどうかの判定は、本実施形態においては、電子シャッタスピードＴＶ１と感度ＳＶ１との差に基づいて行っているが、両方を同じデータに基づかなくてもよい。例えば、白黒モードに入るかどうかはＴＶ−ＳＶ値とし、解除はＳＶ値に基づいて判定してもよく、また、白黒モードに入るときには、ＴＶ値だけとし、解除はＳＶ値に基づくようにしてもよい。
【００６４】
また、本実施形態では、カラーモードと白黒モードの切換としているが、これに限らず、白黒に代えてセピア調にしてもよく、他の単色での表示にしてもよいことは勿論である。さらに、単色モードの代わりに、カラーモードでの彩度を変更するようにしてもよい。例えば、色彩を表すに８ビット使用している場合に、被写体輝度が暗い場合に、色彩を表すに４ビットに減らす等、彩度を低下させてもスルー画表示のちらつきを減少させることができる。
【００６５】
次に、ステップＳ０、Ｓ５３、Ｓ６０、Ｓ１４３、Ｓ３００、Ｓ３１０、Ｓ３２０で実行されるバッテリチェックのサブルーチンについて、図１４を用いて説明する。
最初に、ステップＳ４０１にて、温度検出回路２５９から周囲の温度情報を読み込む。続いて、現在のモードと温度情報から判定電圧を設定する。これは、図１６に示すように、現在のモードと周囲温度のテーブルを参照して判定電圧を設定するものである。例えば、設定モードとして撮影動作、即ち、情報表示（図４のＭ１００）が選択され、周囲温度が４０°Ｃの場合には、判定電圧Ｖｓ１は６．２Ｖであり、周囲温度が２５°Ｃの場合には、判定電圧Ｖｓ２は同じく６．２Ｖであり、周囲温度が０°Ｃに下がると、判定電圧Ｖｓ３は６．５Ｖと高めに設定される。同様に、Ａモード表示が選択されている場合には、それぞれ判定電圧は、６．５Ｖ、６．５Ｖ、６．８Ｖと撮影動作の場合に比較して判定電圧はやや高めに設定されている。さらに、Ｂモード表示が選択されている場合には、それぞれ判定電圧は、６．８Ｖ、７．０Ｖ、７．２Ｖと高めに設定されている。これは、Ｂモード表示においてはメインＣＣＤ２２１の消費電力が一番大きいために、判定電圧も高めに設定し、Ａモード表示、撮影動作では消費電力が低下するので、これに合わせて判定電圧も低めに設定している。なお、この図１６は一例であって、機種に応じて、適宜、最適な値を採用することができる。
【００６６】
続いて、電源である電池３１１の電圧情報をバッテリチェック回路２５７から読み込む（Ｓ４０５）。次に、この読み込まれた電圧情報と、ステップＳ４０３にて設定した判定電圧との比較を行う。バッテリチェック回路２５７を介して読み込んだ電池３１１の電圧が、判定電圧より高い場合には（Ｓ４０７でＹＥＳの場合）、設定されたモードにおいてカメラは正常に動作するので、元のルーチンにそのまま戻る。一方、電池３１１の電圧が、判定電圧よりも低い場合には、ステップＳ４０９に進み、スルー画モードが選択されているか否かの判定を行う。判定の結果、ＮＯの場合には、撮影動作（情報表示Ｍ１００）であるので、ステップＳ４１５に進み、図１５（Ｂ）に示す警告表示Ｂ、即ちバッテリ電圧低下のため撮影動作を中止する旨を所定時間に亘って表示し、スリープモードになる。
【００６７】
一方、ステップＳ４０９にてスルー画モードが選択されていると判定された場合には、Ａモード表示（図４のＭ２００）またはＢモード表示（図４のＭ３００）のいずれかである。前述したようにＡモード表示とＢモード表示は撮像素子であるメインＣＣＤ２２１またはファインダ内ＣＣＤ２７９の電源消費が大きいことから判定電圧は、撮影動作（情報表示Ｍ１００）の場合よりも高めに設定されている。このため、Ａモード表示またはＢモード表示での電源電圧としては十分ではなくても、撮影動作を行うには十分の場合もあることから、スルー画表示を停止し、撮影動作のみを実行するようにしている。ステップＳ４０９にてＹＥＳとの判定だった場合には、ステップＳ４１１に進み、図１５（Ａ）に示す警告表示Ａ、即ち、バッテリ電圧低下のためスルー画表示を中止する旨を所定時間に亘って表示する。続いて、ステップＳ４１３にて、スルー画解除のための処理を実行して、図４の情報表示Ｍ１００に移行する。
【００６８】
本実施形態によれば、被写体像記録用の第１の撮像素子としてのメインＣＣＤ２２１と、この出力に基づいて第１スルー画表示としてのＢモード表示を行う第1スルー画表示手段と、被写体像観察用のファインダ光学系中に配置された第２の撮像素子としてのファインダ内ＣＣＤ２７９と、この出力に基づいて第2スルー画表示としてのＡモード表示を行う第２スルー画表示手段と、電源電圧を判定するバッテリチェック手段としてのバッテリチェック回路２５７を設け、制御手段としてのボディＣＰＵ２２９は、電源電圧が第１の所定値を下回っていると判定された場合にＢモードでのスルー画表示手段の動作を禁止し、第１の所定値よりも低い第２の所定値を下回っている場合には、Ａモードでのスルー画表示手段の動作を禁止するようにしたので、撮像素子の電源消費に合わせてスルー画表示のできる最適な電源電圧範囲となる。また、周囲温度に係わらず判定電圧を固定にしたとしても、前述の効果が得られるが、本実施形態では、温度検出回路２５９を設け、判定電圧を温度にあわせて変えるようにしたので、周囲温度に応じて最適な電源範囲とすることができる。さらに、スルー画表示を正常に実行できる電圧より低下した場合には、スルー画表示のみを中止するようにしたので、カメラの撮影動作を実行することができるというメリットがある。
【００６９】
次に、本実施形態の図１４に示すフローチャートと図１５に示す警告表示の形態を図１７および図１８に置き換えた変形例について説明する。本実施形態においては、Ｂモード表示の際に、電源電圧が判定電圧より低下すると、Ｂモードでのスルー画表示を停止し、撮影動作に移っていたが、本変形例においては、電源電圧が判定電圧より低下すると、ＢモードからＡモードでのスルー画表示に変更するようにしたものである。
【００７０】
バッテリチェックのサブルーチンのステップＳ４２１からステップＳ４３１は、前述の図１４のステップＳ４０１からＳ４０９およびＳ４１５と同じであるので、詳しい説明は省略する。ステップＳ４２９において、スルー画モードか否かの判定でスルー画モードであった場合には、続いて、Ａモードか否かの判定を行う（Ｓ４３３）。Ａモードでなかった場合には、Ｂモード表示からＡモード表示に切り換えて表示を行うためのフローを実行する。これはＢモード表示を正常に行うための電源電圧がなくても、Ａモード表示を行うことは可能であるためである。まず、ステップＳ４３９にて、図１８（Ｂ）に示す警告表示Ｄ、即ち、バッテリ電圧低下のためＢモード表示を中止して、Ａモード表示に移る旨を所定時間に亘って表示する。この後、図５に示すＡモード表示のルーチンに移行する。
【００７１】
一方、ステップＳ４３３にて、Ａモード表示であった場合には、スルー画表示を行うための電源電圧としては一番低いことから、スルー画表示を続行せずに、情報表示（図４のＭ１００）を実行するための処理を行う。まず、ステップＳ４３５にて、図１８（Ａ）に示す警告表示Ｃ、即ち、バッテリ電圧低下のためＡモード表示を中止する旨を所定時間に亘って表示する。この後、Ａモードでのスルー画表示モードを解除して、図４のＭ１００に示す情報表示に移行する。
【００７２】
このように本実施形態の変形例においては、本実施形態と同じく、複数の撮像素子を有し、スルー画表示を行う場合に、撮像素子ごとに判定電圧を設定していることから、撮像素子の電源消費に合わせてスルー画表示のできる最適な電源電圧範囲とすることができる。また、判定電圧によって表示可能なスルー画表示モードに切り換えるようにしたので、即ち、Ｂモード表示を行うための判定電圧以下となった場合には、Ａモード表示に切り換えるようにしたので、スルー画表示を行うことのできる機会を多くすることができる。
【００７３】
なお、本発明の説明にあたって、デジタル一眼レフカメラに適用した例で説明したが、本発明は、一眼レフカメラに限らず、複数の撮像素子を有し、これらの撮像素子の出力に基づいてスルー画を表示することのできる電子撮像装置であれば適用できることは勿論である。
【図面の簡単な説明】
【００７４】
【図１】本実施形態に係わるデジタル一眼レフカメラの外観斜視図である。
【図２】本実施形態に係わるデジタル一眼レフレックスカメラの光学的な概略構成を示すブロック図である。
【図３】本実施形態に係るデジタル一眼レフカメラの全体構成を示すブロック図である。
【図４】本実施形態におけるデジタル一眼レフカメラの表示モードおよびその動作モード・メニューの階層構造を示すブロック図である。
【図５】本実施形態におけるＡモード表示のフローチャートである。
【図６】本実施形態におけるＢモード表示のフローチャートである。
【図７】本実施形態における撮影動作Ａのフローチャートである。
【図８】本実施形態における撮影動作Ｂのフローチャートである。
【図９】本実施形態における撮影動作Ｃのフローチャートである。
【図１０】本実施形態におけるスルー画条件の設定１とスルー画条件の設定２のフローチャートである。
【図１１】本実施形態における液晶モニタにおけるスルー画表示モードの表示画面であり、（Ａ）はＡモード表示、（Ｂ）はＢモード表示を示す。
【図１２】本実施形態における液晶モニタにおける表示であって、（Ａ）は情報表示画面、（Ｂ）はメニュー表示画面を示す。
【図１３】本実施形態におけるバッテリチェック回路と温度検出回路の回路図である。
【図１４】本実施形態におけるバッテリチェックのフローチャートである。
【図１５】本実施形態における液晶モニタでの警告表示を示す図であり、（Ａ）は警告表示Ａを、（Ｂ）は警告表示Ｂを示す。
【図１６】本実施形態の各種モードと、温度よび判定電圧の関係を示す図である。
【図１７】本実施形態の変形例におけるバッテリチェックのフローチャートである。
【図１８】本実施形態の変形例における液晶モニタでの警告表示を示す図であり、（Ａ）は警告表示Ａを、（Ｂ）は警告表示Ｂを示す。
【符号の説明】
【００７５】
１０  レンズ鏡筒
２０  カメラ本体
２１  レリーズ釦
２３  パワースイッチ
２６  液晶モニタ
２８  メニュー釦
３０  十字キー
３１  ＯＫ釦
３３  ファインダ
３４  スルー画切換釦
３５  表示切換釦
２０１  第1反射ミラー
２１３  フォーカルプレーンシャッタ
２２１  メインＣＣＤ
２２９  ボディＣＰＵ
２７９  ファインダ内ＣＣＤ
２５７  バッテリチェック回路
２５９  温度検出回路
３１０  電源部
３１１  電池
３１３  サーミスタ
【図１３】
2007228122.tif 000003
【図１】
2007228122.tif 000004
【図２】
2007228122.tif 000005
【図３】
2007228122.tif 000006
【図４】
2007228122.tif 000007
【図５】
2007228122.tif 000008
【図６】
2007228122.tif 000009
【図７】
2007228122.tif 000010
【図８】
2007228122.tif 000011
【図９】
2007228122.tif 000012
【図１０】
2007228122.tif 000013
【図１１】
2007228122.tif 000014
【図１２】
2007228122.tif 000015
【図１４】
2007228122.tif 000016
【図１５】
2007228122.tif 000017
【図１６】
2007228122.tif 000018
【図１７】
2007228122.tif 000019
【図１８】
2007228122.tif 000020